(57)【要約】【課題】真空下水道管路の最上流部まで真空弁の動作及び汚水の搬送に必要とされる真空圧を常に維持出来る真空下水道システムの空気取入装置を提供する。【解決手段】空気取入部１０側の真空下水支管２の末端２ａ近傍には、真空下水管路内の圧力を検出可能な取入弁側圧力センサ１５が設けられていて、電気的に弁制御部１２に接続されることにより、取入弁側圧力センサ１５で検出された管内圧力値を電気信号に変換して出力する。  弁制御部１２では、取入弁側圧力センサ１５で検出された管内圧力値を用いて、空気取入弁を開放する開放出力信号を出力部１２ａから送信する。  そして、この弁制御部１２には、開放から一定時間経過後に、空気取入弁１１を閉塞する閉塞出力信号を出力部１２ａから送信させるタイマ部１２ｂが設けられている。【選択図】図１
2012225033.tif 000002
【特許請求の範囲】
【請求項１】
真空圧により汚水升内の汚水を下流側の真空ステーションへ移送する真空下水管路の上流端に、大気を真空下水管路内に導入する空気取入部を設けた真空下水道システムの空気取入装置であって、
前記空気取入部は、開放又は閉塞により大気を真空下水管路内に導入又は遮断可能な空気取入弁と、該空気取入部側の真空下水管路の末端近傍に設けられて、真空下水管路内の圧力を検出可能な取入弁側圧力センサと、該取入弁側圧力センサで検出された管内圧力値を用いて、空気取入弁を開放する弁制御部とを有し、開放から一定時間経過後に、空気取入弁を閉塞するタイマ部を設けたことを特徴とする真空下水道システムの空気取入装置。
【請求項２】
前記タイマ部では、該取入弁側圧力センサで検出された管内圧力値を用いて、空気取入弁を開放する際の猶予時間を予め真空下水管路の道程に合わせて設定された設定猶予時間を経過した場合とすることを特徴とする請求項１記載の真空下水道システムの空気取入装置。
【請求項３】
前記真空ステーションには、真空下水管路内の圧力を検出可能なステーション側圧力センサが設けられて、該ステーション側圧力センサで検出された真空下水本管の内部及び、前記取入弁側圧力センサで検出された末端圧力値を比較して、前記弁制御部では空気取入弁を開放することを特徴とする請求項１又は２記載の真空下水道システムの空気取入装置。
【発明の詳細な説明】
【技術分野】
【０００１】
この発明は、真空圧を用いて流体を搬送する真空下水道システムで、主に汚水の搬送に用いられる真空圧を最上流部まで到達させることが出来る真空下水道システムの空気取入装置に関するものである。
【背景技術】
【０００２】
近年、自然流下式下水道システムに代わって、真空下水道システムの採用が増加しつつある。この真空下水道システムは、真空圧を利用して、汚水枡に溜まった汚水を吸引収集するものである（例えば、特許文献１乃至３等参照）。
【０００３】
図２に示すこのような真空下水道システムでは、各建築物８…からの排水を一時貯留する汚水枡９…には、図示省略の真空弁が、各々設けられている。
【０００４】
これらの真空弁からは、真空下水管路としての真空下水支管２，３…及び真空下水本管４を介して、真空ステーション５に設けられた集水タンク５ａに接続されている。
【０００５】
そして、汚水枡内の汚水が、一定量に達すると、各真空弁１…が開放されて、下流側に接続された真空下水支管２，３及び真空下水本管４を通じて、真空ステーション５に設けられた真空ポンプ６が生じる真空圧により集水タンク５ａに移送される。
【０００６】
また、このような従来の真空下水道システムでは、真空下水支管２，３…の末端にタイマーを用いて予め所定時間で開閉される空気取入弁７，７が、各々設けられている（図７参照）。
【０００７】
すなわち、汚水の集中等で、真空下水支管２，３及び真空下水本管４内に汚水が滞留すると、末端まで真空圧が届かなくなるが、前記空気取入弁７，７では、タイマーが用いられて予め設定された所定時間で開閉される。
【０００８】
このため、各真空下水支管２，３…の末端に溜まっていた汚水は、一掃されて、再び真空弁１の開閉に必要とされる負圧を末端近傍まで行き渡らせることが出来る。
【先行技術文献】
【特許文献】
【０００９】
【特許文献１】特許第２５４６７１８号
【特許文献２】特許第３８７２８６５号
【特許文献３】特許第４１０１９５０号
【発明の概要】
【発明が解決しようとする課題】
【００１０】
しかしながら、従来の真空下水道システムでは、前記タイマーが用いられて、予め設定された所定時間で空気取入弁７が、開放される。
【００１１】
このため、実際に各真空下水支管２，３…内に汚水が溜まっていない場合でも、空気取入弁７が開放されてしまうことがあり、真空下水道システム全体の真空度に影響を与えてしまう虞があった。
【００１２】
そこで、この発明は、真空下水道管路の最上流部まで真空弁の動作及び汚水の搬送に必要とされる真空圧を常に維持出来る真空下水道システムの空気取入装置を提供することを課題としている。
【課題を解決するための手段】
【００１３】
上記課題を解決するために、請求項１に記載された発明は、真空圧により汚水升内の汚水を下流側の真空ステーションへ移送する真空下水管路の上流端に、大気を真空下水管路内に導入する空気取入部を設けた真空下水道システムの空気取入装置であって、前記空気取入部は、開放又は閉塞により大気を真空下水管路内に導入又は遮断可能な空気取入弁と、該空気取入部側の真空下水管路の末端近傍に設けられて、真空下水管路内の圧力を検出可能な取入弁側圧力センサと、該取入弁側圧力センサで検出された管内圧力値を用いて、空気取入弁を開放する弁制御部とを有し、開放から一定時間経過後に、空気取入弁を閉塞するタイマ部を設けた真空下水道システムの空気取入装置を特徴としている。
【００１４】
また、請求項２に記載されたものは、前記タイマ部では、該取入弁側圧力センサで検出された管内圧力値を用いて、空気取入弁を開放する際に、猶予時間が予め真空下水管路の道程に合わせて設定された設定猶予時間を経過した場合とする請求項１記載の真空下水道システムの空気取入装置を特徴としている。
【００１５】
更に、請求項３に記載されたものは、前記真空ステーションには、真空下水管路内の圧力を検出可能なステーション側圧力センサが設けられて、該ステーション側圧力センサで検出された真空下水本管４の内部及び、前記取入弁側圧力センサで検出された末端圧力値を比較して、前記弁制御部では空気取入弁を開放する請求項１又は２記載の真空下水道システムの空気取入装置を特徴としている。
【発明の効果】
【００１６】
本発明の請求項１記載のものによれば、管内圧力が、基準圧力値以上となると、取入弁側圧力センサで検出された管内圧力値が用いられて、空気取入弁が弁制御部によって開放される。
【００１７】
このため、汚水の吸い込みが集中して、真空下水管路内に滞留しても、この末端に設けられた空気取入部から導入された空気によって、真空ステーション方向へ押し流されて、一掃される。
【００１８】
しかも、タイマ部によって、予め設定された時間で、空気取入弁が閉塞されるので、開放されたままで、真空下水道システム全体の圧力が上昇してしまう虞が無く、真空ポンプの運転効率を良好なものとすることが出来る。
【００１９】
また、請求項２に記載されたものは、取入弁側圧力センサで検出された管内圧力値が、基準圧力値以上に上昇しても、猶予時間が予め真空下水管路の道程に合わせて設定された設定猶予時間を経過した場合にのみ、空気取入弁が開放される。
【００２０】
この為、真空弁が開放されたままで、真空下水管路全体の内部圧力が、充分な真空度に到達していない場合は、空気取入弁が開放されない。
【００２１】
従って、真空下水管路の末端で、一時的な圧力変動の影響により、弁制御部によって空気取入弁が開放されることが無く、設定猶予時間以上継続して真空度が低下している場合のみ、汚水が滞留等していると判断して、空気取入弁を開放して、空気を導入し真空ステーション方向へ押し流すことが出来、更に真空ポンプの運転効率を良好なものとして、真空弁の動作及び汚水の搬送に必要とされる真空圧を常に維持出来る。
【００２２】
更に、請求項３に記載されたものは、前記真空ステーションに設けられたステーション側圧力センサが、真空下水管路内の圧力を検出して、弁制御部では、真空下水本管の内部圧力値及び、前記取入弁側圧力センサで検出された末端圧力値が比較されて、空気取入弁が開放される。
【００２３】
真空下水支管の末端の内部圧力値が、基準圧力値以上で、且つ真空下水管路の内部圧力が、設定圧力以下であると判断されている場合のみに、空気取入弁が開放される。
【００２４】
このため、真空弁が開放されたままで、真空下水管路全体の内部圧力が、充分な真空度に到達していない場合は、空気取入弁が開放されない。
【００２５】
従って、真空下水管路の末端に真空圧が届かず、他の真空式下水道システムは正常に機能している場合のみ、汚水が末端近傍で滞留している状態であると判断して、大気圧の空気が、空気取入部によって導入されて、汚水を真空ステーション方向へ押し流すことが出来る。
【図面の簡単な説明】
【００２６】
【図１】本発明の実施の形態の真空下水道システムの空気取入装置で、模式的な要部の拡大図である。
【図２】実施の形態の真空下水道システムで、全体の構成を説明する一部断面図である。
【図３】実施の形態の真空下水道システムの空気取入装置で、動作順序を説明するフローチャート図である。
【図４】実施の形態の実施例１の真空下水道システムの空気取入装置で、動作順序を説明するフローチャート図である。
【図５】実施の形態の実施例２の真空下水道システムの空気取入装置で、動作順序を説明するフローチャート図である。
【図６】実施の形態の実施例３の真空下水道システムの空気取入装置で、模式的な要部の断面図である。
【図７】従来例の真空下水道システムの模式的なレイアウト図である。
【発明を実施するための形態】
【００２７】
図１乃至図６は、この発明の実施の形態の真空下水道システムの空気取入装置を示すものである。
【００２８】
まず、構成から説明すると、この実施の形態の真空下水道システムの空気取入装置では、図２に示す様に各建築物８からの排水を一時貯留する汚水枡９には、各々真空弁１が、設けられている。
【００２９】
これらの真空弁は、真空下水支管２，３…及び真空下水本管４を介して、下流側の真空ステーション５に設けられた真空ポンプ６に接続されている。
【００３０】
そして、汚水枡９内の汚水が、一定量に達すると、各真空弁１が開放されて、下流側に接続された真空下水支管２，３及び真空下水本管４を通じて、真空ステーション５に設けられた真空ポンプ６が発生させる真空圧により移送される。
【００３１】
このうち、真空下水支管２のように比較的長い道程を有する真空下水管路の末端２ａには、空気取入部１０が真空下水管路の上流端に位置するように設けられている。
【００３２】
この空気取入部１０では、図１に示す様に、主に開放又は閉塞により大気を真空下水支管２内に導入又は遮断可能な空気取入弁１１と、この空気取入弁１１の開閉制御を行う弁制御部１２とが、地中に埋設されている。
【００３３】
また、空気取入弁１１の開放口側が、エルボ管１３及び直管状の空気取入管１４を介して、地表ＧＬから上方へ向けて突設されていて、大気圧の空気を前記空気取入弁１１方向に導入可能としている。
【００３４】
また、空気取入部１０側の真空下水支管２の末端２ａ近傍には、真空下水管路内の圧力を検出可能な取入弁側圧力センサ１５が設けられている。
【００３５】
この取入弁側圧力センサ１５は、電気的に弁制御部１２に接続されていて、この取入弁側圧力センサ１５で検出された管内圧力値を電気信号に変換して弁制御部１２に出力するように構成されている。
【００３６】
この弁制御部１２では、取入弁側圧力センサ１５で検出された管内圧力値を用いて、空気取入弁を開放する開放出力信号を出力部１２ａから送信するように構成されている。
【００３７】
そして、この弁制御部１２には、開放から一定時間経過後に、空気取入弁１１を閉塞する閉塞出力信号を出力部１２ａから送信させるタイマ部１２ｂが設けられている。
【００３８】
次に、図３に示すフローチャートの制御フロー順序に沿って、この実施の形態の真空下水道システムの空気取入装置の作用効果を説明する。
【００３９】
この実施の形態の真空下水道システムでは、Ｓｔｅｐ１で制御フローがスタートすると、Ｓｔｅｐ２では、弁制御部１２に電気的に接続されている取入弁側圧力センサ１５が、空気取入部側の真空下水支管２の末端２ａ近傍の真空下水管路内の圧力を検出して、管内圧力値として、前記弁制御部１２に出力する。
【００４０】
Ｓｔｅｐ３では、この管内圧力値を用いて、空気取入弁１１の開閉塞動作が制御される。  すなわち、検出された管内圧力値が、基準圧力値（例えば−２５ｋＰａ）以上となれば、次のＳｔｅｐ４に進んで、空気取入弁１１を開放する開放出力信号を出力部１２ａから送信する。
【００４１】
また、検出された管内圧力値が、基準圧力値に満たない場合は、Ｓｔｅｐ２に戻る。
【００４２】
Ｓｔｅｐ４で、出力部１２ａから送信された開放出力信号は、空気取入弁１１を開放して、前記空気取入管１４から大気圧の空気が、真空下水支管２内に導入される。
【００４３】
このため、汚水の吸い込みが集中して、真空下水管路内に汚水が滞留しても、導入された空気によって、これらの滞留した汚水が、真空ステーション５方向へ押し流されて、一掃される。
【００４４】
Ｓｔｅｐ５では、前記タイマ部１２ｂによって、予め真空下水管路の道程に合わせて設定された時間を経過したか否かが判定される。
【００４５】
予め設定された時間を経過した場合には、Ｓｔｅｐ６に進み、前記空気取入弁１１を閉塞する閉塞出力信号を出力部１２ａから送信させる。
【００４６】
また、予め設定された時間がまだ経過していない場合には、Ｓｔｅｐ４に戻る。
【００４７】
Ｓｔｅｐ６では、出力部１２ａから送信された閉塞出力信号によって、一定時間経過後、空気取入弁１１が閉塞されると、前記空気取入管１４から導入されていた空気が停止されて、真空下水支管２内の空気が、真空ステーション５の真空ポンプ６によって引かれて低下する。
【００４８】
このため、再度各汚水枡９に設けられた真空弁が開放される際に、汚水を搬送する為に必要な真空度が得られて、真空弁の動作を確実に行わせることが出来る。
【００４９】
このように、汚水の吸い込みが集中して、真空下水管路内に汚水が滞留しても、この末端２ａに設けられた空気取入部１０から導入された空気によって、真空ステーション５方向へ押し流されて、一掃される。
【００５０】
しかも、タイマ部１２ｂによって、予め設定された時間で、空気取入弁１１が閉塞されるので、開放されたままによる真空下水道システム全体の圧力が上昇してしまう虞が無く、真空ポンプ６の運転効率を良好なものとすることが出来る。
【実施例１】
【００５１】
図４に示すフローチャートは、この発明の実施の形態の実施例１の弁制御部１２の動作を示すものである。
【００５２】
なお、前記実施の形態と同一乃至均等な部分については、同一符号を付して説明する。
【００５３】
この実施例１の真空下水道システムの空気取入装置では、Ｓｔｅｐ１０で、前記空気取入弁１１の開閉制御を開始すると、Ｓｔｅｐ１１では、弁制御部１２に電気的に接続されている取入弁側圧力センサ１５が、空気取入部側の真空下水支管２の末端２ａ近傍の真空下水管路内の圧力を検出して、管内圧力値として、前記弁制御部１２に出力する。
【００５４】
Ｓｔｅｐ１２では、この管内圧力値を用いて、空気取入弁１１の開閉塞動作が制御される。
【００５５】
すなわち、検出された管内圧力値が、基準圧力値（例えば−２５ｋＰａ）以上となれば、次のＳｔｅｐ１３に進み、また検出された管内圧力値が、基準圧力値に満たない場合は、Ｓｔｅｐ１１に戻る。
【００５６】
Ｓｔｅｐ１３では、前記タイマ部１２ｂが用いられて、予め真空下水管路の道程に合わせて設定された設定猶予時間（例えばこの実施例１では、３分間の設定猶予時間）を経過したか否かが判定される。
【００５７】
設定された３分間、基準圧力値以上であれば、次のＳｔｅｐ１４に進み、基準圧力値が設定された３分間保たれない場合はＳｔｅｐ１１に戻る。
【００５８】
Ｓｔｅｐ１４では、空気取入弁１１を開放する開放出力信号が、出力部１２ａから送信されて、この出力部１２ａから送信された開放出力信号によって、空気取入弁１１が開放される。
【００５９】
この空気取入弁１１の開放により、前記空気取入管１４から大気圧の空気が、真空下水支管２内に導入される。
【００６０】
このため、汚水の吸い込みが集中して、真空下水管路内に汚水が滞留しても、導入された空気によって、これらの滞留した汚水が、真空ステーション５方向へ押し流されて、一掃される。
【００６１】
Ｓｔｅｐ１５では、前記タイマ部１２ｂによって、予め真空下水管路の道程に合わせて設定された時間を経過したか否かが判定される。
【００６２】
予め設定された時間を経過した場合には、Ｓｔｅｐ１６に進み、前記空気取入弁１１を閉塞する閉塞出力信号を出力部１２ａから送信させる。
【００６３】
また、予め設定された時間がまだ経過していない場合には、Ｓｔｅｐ１５を繰り返す。
【００６４】
Ｓｔｅｐ１６では、出力部１２ａから送信された閉塞出力信号によって、一定時間経過後、空気取入弁１１が閉塞されると、前記空気取入管１４から導入されていた空気が停止されて、真空下水支管２内の空気が、真空ステーション５の真空ポンプ６で引かれて低下する。
【００６５】
Ｓｔｅｐ１７では、予め設定された時間を経過しなければ、Ｓｔｅｐ１１に戻らないように、予め設定された続行時間を、経過したか否かが、タイマ部１２ｂで判定される。
【００６６】
予め設定された続行時間を、経過した場合はＳｔｅｐ１１に戻り、再び開閉制御を開始すると共に、タイマ部１２ｂの判定で、経過していないと判断された場合は、このＳｔｅｐ１７に戻り、経過するまでループを巡回する。
【００６７】
このため、空気取入部１０では、空気取入弁１１を一度開くと、予め設定された続行時間を経過しなければ再度、開放されない。
【００６８】
よって、真空下水管路内に空気取入部１０から空気が入りすぎることで、真空下水道システム全体の真空度に影響が出ないようにすることが出来る。
【００６９】
この実施例１では、前記実施の形態の作用効果に加えて、更に、Ｓｔｅｐ１３で、タイマ部１２ｂが用いられて、予め真空下水管路の道程に合わせて設定された時間（例えばこの実施例１では、３分間）を経過したか否かが判定されている。
【００７０】
このため、前記真空下水支管２の末端２ａで、一時的な圧力変動の影響により、弁制御部１２によって空気取入弁１１が開放されることが無く、３分間以上継続して真空度が低下している場合のみ、汚水が管内に滞留閉塞していると判断して、空気取入弁１１を開放して、空気を導入し真空ステーション５方向へ押し流すことが出来る。
【実施例２】
【００７１】
図５は、この発明の実施の形態の実施例２の真空下水道システムの空気取入装置を示すものである。
【００７２】
なお、前記実施の形態及び実施例１の真空下水道システムの空気取入装置と同一乃至均等な部分については、同一符号を付して説明する。
【００７３】
まず、この実施例２の構成上の相違点を中心に説明すると、この実施例２の真空下水道システムの空気取入装置では、図１中二点鎖線に示す様に、前記空気取入管１４に沿って直立されたアンテナ部１６が、レシーバ１７を介して、弁制御部１２に接続されている。
【００７４】
また、図２に示す様に、前記真空ステーション５には、真空下水本管４内の圧力を検出可能なステーション側圧力センサ２０が設けられている。
【００７５】
このステーション側圧力センサ２０では、検出された真空下水本管４の内部を電気的信号に変換して、送信アンテナ１９から送信するように構成されている。
【００７６】
そして、前記取入弁側圧力センサ１５で検出された末端圧力値と、この送信アンテナ１９及びアンテナ部１６間で送受信された真空下水本管４の内部とが、前記弁制御部１２で比較されて、空気取入弁１１の開放又は閉塞が行われるように構成されている。
【００７７】
次に、図５に示すフローチャートの制御フロー順序に沿って、この実施例２の空気取入装置の作用効果について説明する。
【００７８】
この実施例２の真空下水道システム開閉弁装置の弁体構造では、まず、Ｓｔｅｐ２０で、前記空気取入弁１１の開閉制御を開始すると、Ｓｔｅｐ２１では、弁制御部１２に電気的に接続されている取入弁側圧力センサ１５によって、空気取入部側の真空下水支管２の末端２ａ近傍の真空下水管路内の圧力が検出されて、管内圧力値として、前記弁制御部１２に出力される。
【００７９】
Ｓｔｅｐ２２では、この管内圧力値を用いて、空気取入弁１１の開閉塞動作が制御される。
【００８０】
すなわち、検出された管内圧力値が、基準圧力値（例えば−２５ｋＰａ）以上となれば、次のＳｔｅｐ２３に進み、また検出された管内圧力値が、基準圧力値に満たない場合は、Ｓｔｅｐ２１に戻る。
【００８１】
Ｓｔｅｐ２３では、前記タイマ部１２ｂが用いられて、予め真空下水管路の道程に合わせて設定された猶予時間が、経過したか否かが判定される。
【００８２】
設定された猶予時間の間、基準圧力値以上であれば、次のＳｔｅｐ２４に進み、基準圧力値が設定された猶予時間の間、保たれない場合はＳｔｅｐ２１に戻る。
【００８３】
Ｓｔｅｐ２４では、真空ステーション５のステーション側圧力センサ２０によって検知された真空下水本管４の内部圧力が、前記送信アンテナ１９及びアンテナ部１６間で送受信されて、弁制御部１２に取り込まれる。
【００８４】
Ｓｔｅｐ２５では、ステーション側圧力センサ２０によって検知された真空下水本管４の内部圧力が、設定圧力（この実施例２では、−６０ｋＰａ）以下であるか否かが判断される。
【００８５】
内部圧力が設定圧力以下になった場合には、次のＳｔｅｐ２６に進み、設定圧力以下にならない場合には、Ｓｔｅｐ２１に戻る。
【００８６】
Ｓｔｅｐ２６では、真空下水支管２の末端２ａの内部圧力値が、基準圧力値以上で、真空下水本管４の内部圧力が、設定圧力以下であると判断されているので、空気取入弁１１を開放する開放出力信号が、出力部１２ａから送信されて、この開放出力信号によって、空気取入弁１１が開放される。
【００８７】
この空気取入弁１１の開放により、前記空気取入管１４から大気圧の空気が、真空下水支管２内に導入される。
【００８８】
このため、汚水の吸い込みが集中して、真空下水管路内に汚水が滞留しても、導入された空気によって、これらの滞留した汚水が、真空ステーション５方向へ押し流されて、一掃される。
【００８９】
Ｓｔｅｐ２７では、前記タイマ部１２ｂによって、予め真空下水管路の道程に合わせて設定された時間を経過したか否かが判定される。
【００９０】
予め設定された時間を経過した場合には、Ｓｔｅｐ２８に進み、前記空気取入弁１１を閉塞する閉塞出力信号を出力部１２ａから送信させる。
【００９１】
また、予め設定された時間がまだ経過していない場合には、Ｓｔｅｐ２６に戻る。
【００９２】
Ｓｔｅｐ２８では、出力部１２ａから送信された閉塞出力信号によって、一定時間経過後、空気取入弁１１が閉塞される。
【００９３】
このため、前記空気取入管１４から導入されていた空気が停止されて、真空下水支管２内の空気が、真空ステーション５の真空ポンプ６で引かれて低下し、再び、Ｓｔｅｐ２１に戻り、再び開閉制御が行われる。
【００９４】
この実施例２では、前記実施の形態及び実施例１の作用効果に加えて、更に、図２で示す様に、ステーション側圧力センサ２０で検出された真空下水本管４の内部が電気的信号に変換されて、各空気取入部１０…に設けられたアンテナ部１６…へ送信されて、個別に空気取入弁１１の開閉制御が判断される。
【００９５】
そして、真空下水支管２の末端２ａの内部圧力値が、基準圧力値以上で、且つ真空下水本管４の内部圧力が、設定圧力以下であると判断されている場合のみに、空気取入弁１１が開放される。
【００９６】
また、真空弁１が開放されたままで、真空下水管路全体の内部圧力が、充分な真空度に到達していない場合は、空気取入弁１１が開放されない。
【００９７】
従って、真空下水支管２の末端２ａに真空圧が届かず、他の真空式下水道システムは正常に機能している場合のみ、汚水が末端２ａ近傍で滞留している状態であると判断して、大気圧の空気を、空気取入部１０によって導入して、真空下水管路内に滞留した汚水を、真空ステーション５方向へ押し流すことが出来る。
【実施例３】
【００９８】
図６は、この発明の実施の形態の実施例３の真空下水道システムの空気取入装置を示すものである。
【００９９】
なお、前記実施の形態及び実施例１，２の真空下水道システムの空気取入装置と同一乃至均等な部分については、同一符号を付して説明する。
【０１００】
まず、この実施例３の構成上の相違点を中心に説明すると、この実施例３の真空下水道システムの空気取入装置では、図６に示す様に、地中の真空下水支管２の末端部には、エルボ管１３を介して、直管状の空気取入管１４が地表ＧＬから、上方に向けて直立されている。
【０１０１】
この空気取入管１４の端部１４ａには、空気取入弁１１が設けられていて、この端部１４ａ近傍には、取入弁側圧力センサ１５が設けられている。
【０１０２】
この取入弁側圧力センサ１５は、地表ＧＬに配置された弁制御部２２に電気的に接続されていて、この取入弁側圧力センサ１５で検出された管内圧力値が、電気信号に変換されて弁制御部１２に出力されるように構成されている。
【０１０３】
このように構成された実施例３の真空下水道システムの空気取入装置では、空気取入弁１１及び弁制御部２２が、地表ＧＬから上方に露出しているので、メンテナンス性が良好である。
【０１０４】
他の構成及び作用効果については、前記実施の形態及び実施例１，２と略同様であるので説明を省略する。
【０１０５】
以上、図面を参照して、本発明の実施の形態の真空下水道システムの空気取入装置を詳述してきたが、具体的な構成は、この実施の形態の真空下水道システムの空気取入装置に限らず、本発明の要旨を逸脱しない程度の設計的変更は、本発明に含まれる。
【０１０６】
例えば、前記実施の形態では、弁制御部１２にタイマ部１２ｂを設けて、設定時間を過ぎると、空気取入弁１１を閉塞するように構成されているが、例えば、開放から一定時間を経過すると機構的に空気取入弁１１を閉塞する等、開放から一定時間経過後に、空気取入弁を閉塞するタイマ部であれば、電気的な構成に限らず、機械的な構成で空気取入弁１１に直接設けられていても良く、形状、数量及び材質が特に限定されるものではない。
【０１０７】
また、空気取入弁１１も、電動ボール弁によって構成されているが、例えば、電動バタフライ弁等、短時間で開閉側出来るものであれば良く、弁機構の形状、数量及び材質が特に限定されるものではない。
【０１０８】
更に、前記実施例２では、真空下水本管４の内部が、送信アンテナ１９及びアンテナ部１６間で、無線により送受信されているが、特にこれに限らず、例えば、真空下水道管路に沿って配索された有線配線を用いて、真空下水本管４の内部の送受信を行う等、送受信形式の方法、数量及びタイミング等が特に限定されるものではない。
【符号の説明】
【０１０９】
１      真空弁
２，３  真空下水支管
２ａ    末端
４      真空下水本管
５      真空ステーション
８      建築物
９      汚水枡
１０    空気取入部
１１    空気取入弁
１２    弁制御部
１２ａ  出力部
１２ｂ  タイマ部
１５    取入弁側圧力センサ
２０    ステーション側圧力センサ
【図１】
2012225033.tif 000003
【図２】
2012225033.tif 000004
【図３】
2012225033.tif 000005
【図４】
2012225033.tif 000006
【図５】
2012225033.tif 000007
【図６】
2012225033.tif 000008
【図７】
2012225033.tif 000009